(57)【要約】【課題】、映像符号化ストリームを部分編集する際の品質の劣化を低減する。【解決手段】符号化ストリーム編集装置１は、差替前ストリームのうち差替区間を含むＧＯＰを復号して差替前映像を生成するデコーダ１２と、差替前映像の差替区間の映像を差替映像に入れ換えて差替後映像を生成する映像差替部１３と、差替後映像のうち、差替区間の始点フレームよりも表示順で前に位置するフレームであって、符号化時に始点フレーム以降のフレームを参照しないフレームを除外した切出映像を生成する映像切出部１４と、切出映像を符号化して、差替ストリームを生成するエンコーダ１５と、差替前ストリームの切出映像に該当する区間を前記差替ストリームに差替えて、差替後ストリームを生成する部分差替部１６と、を備える。【選択図】図１
2020108032.tif 000002
【特許請求の範囲】
【請求項１】
フレーム間予測を用いて符号化された映像符号化ストリームに対して部分差替編集を行い、部分差替編集前の映像符号化ストリームである差替前ストリームから、部分差替編集後の映像符号化ストリームである差替後ストリームを生成する映像符号化ストリーム編集装置であって、
前記差替前ストリームのうち差替区間を含むＧＯＰを復号して差替前映像を生成するデコーダと、
前記差替前映像の前記差替区間の映像を差替映像に入れ換えて差替後映像を生成する映像差替部と、
前記差替後映像のうち、前記差替区間の始点フレームよりも表示順で前に位置するフレームであって、符号化時に前記始点フレーム以降のフレームを参照しないフレームを除外した切出映像を生成する映像切出部と、
前記切出映像を符号化して、差替ストリームを生成するエンコーダと、
前記差替前ストリームの前記切出映像に該当する区間を前記差替ストリームに差替えて、前記差替後ストリームを生成する部分差替部と、
を備えることを特徴とする、映像符号化ストリーム編集装置。
【請求項２】
前記映像切出部は、前記差替区間を含むＧＯＰの、前記差替区間の前記始点フレームのピクチャタイプを識別し、
該ピクチャタイプがＩピクチャである場合には、前記差替後映像のうち、前記始点フレームから最終フレームまでを前記切出映像とし、
該ピクチャタイプがＩピクチャでない場合には、前記差替後映像のうち、表示順で前記始点フレームの前方の直近に位置するＰピクチャ又はＩピクチャの１枚後のフレームから最終フレームまでを前記切出映像とする
ことを特徴とする、請求項１に記載の映像符号化ストリーム編集装置。
【請求項３】
コンピュータを、請求項１又は２に記載の映像符号化ストリーム編集装置として機能させるためのプログラム。
【発明の詳細な説明】
【技術分野】
【０００１】
本発明は、映像符号化ストリームの編集を行う映像符号化ストリーム編集装置及びプログラムに関する。
【背景技術】
【０００２】
放送局では、そのまま番組として放送可能な完成プログラムを、ＡＶＣ（Advanced Video Coding）／Ｈ．２６４などの映像符号化方式を用いて符号化した映像符号化ストリームの形態でファイル管理することが多い（例えば、非特許文献１参照）。完成プログラムのファイルは送出サーバに記録され、その送出時刻（放送時刻）を待つ。
【０００３】
送出サーバに記録された完成プログラムに修正の必要な箇所が発見された場合には、その修正必要箇所のみを正しいコンテンツに差替える部分差替編集を行う。部分差替編集は、特定のカットに問題が有りこのカットのみを差替える場合や、テロップの文字に誤りが有りこのテロップが付加されたフレームのみを修正する場合などにしばしば行われる。
【０００４】
非特許文献１に開示されたシステムでは、表１に記載するように、完成プログラムをＡＶＣ／Ｈ．２６４映像符号化方式で、フレーム内予測のみを用いて符号化したＩピクチャのみで映像符号化ストリームを構成している。この映像符号化ストリームは、単体での復号が可能なＩピクチャのみで構成されるため、部分差替編集を行う際に映像符号化ストリームをいったん復号して再度符号化する必要がない。そのため、任意のフレームを始点、終点とした区間の部分差替編集を容易に行うことができる。
【０００５】
このように、非特許文献１に開示されたシステムでは、編集の容易さからＩピクチャのみの構造（Ｉｎｔｒａ  Ｏｎｌｙ）を採用している。ただし、Ｉｎｔｒａ  Ｏｎｌｙは編集が容易であるが、符号化効率が低くなる。一方、片方向予測によるフレーム間予測を用いて符号化されたＰピクチャ、及び双方向予測によるフレーム間予測を用いて符号化されたＢピクチャを用いた構造（Ｌｏｎｇ  ＧＯＰ（Ｇｒｏｕｐ  ｏｆ  Ｐｉｃｔｕｒｅ））は、編集の容易さには難があるが、フレーム間の相関を活用する符号化を行うため、符号化効率が高いといった利点がある。
【０００６】
非特許文献１に開示されたシステムはＨＤ（Ｈｉｇｈ  Ｄｅｆｉｎｉｔｉｏｎ）映像を対象とし、ＡＶＣ／Ｈ．２６４、Ｉｎｔｒａ  Ｏｎｌｙ、５０Ｍｂｐｓで運用しているが、今後の普及が見込まれる８Ｋスーパーハイビジョン映像を対象とする場合には、映像信号の情報量の増加に伴い、より符号化効率の高い符号化方式、ＧＯＰ構造の採用が要求される。
【０００７】
図６に、８Ｋスーパーハイビジョン映像をＨＥＶＣ（Ｈｉｇｈ  Ｅｆｆｉｃｉｅｎｃｙ  Ｖｉｄｅｏ  Ｃｏｄｉｎｇ）／Ｈ．２６５で、Ｉｎｔｒａ  Ｏｎｌｙ及びＬｏｎｇ  ＧＯＰで符号化した際の、ビットレートとＰＳＮＲ（Ｐｅａｋ  Ｓｉｇｎａｌ  Ｎｏｉｓｅ  Ｒａｔｉｏ）のグラフを示す。なお、ＰＳＮＲの値が高いほど画質劣化が少ない。使用した符号化対象画像は、一般社団法人映像情報メディア学会（ＩＴＥ）が提供する超高精細・広色域標準動画像−Ａシリーズのテストチャートである楓（図６（ａ））及び気動車（図６（ｂ））である。Ｌｏｎｇ  ＧＯＰのＧＯＰ構造は、Ｍ＝４、Ｎ＝３２、Ｔｅｍｐｏｒａｌ＿ＩＤ＝２とした。この図から、８Ｋスーパーハイビジョン映像をＨＥＶＣ／Ｈ．２６５で符号化する場合、Ｉｎｔｒａ  Ｏｎｌｙに対してＬｏｎｇ  ＧＯＰが有利であることが確認できる。
【０００８】
また、特許文献１には、ＭＰＥＧビデオストリーム１からＩ又はＰピクチャの直前までの第１部分ストリームを切り出し、ＭＰＥＧビデオストリーム２からＩ又はＰピクチャ以降の第２部分ストリームを切り出し、第１部分ストリームと第２部分ストリームを結合して、編集後ストリーム３を生成する技術が開示されている。より詳細には、第２部分ストリームの直前に表示されるピクチャがＩピクチャである場合には、該ピクチャをフレーム内符号化ピクチャとする。また、第２部分ストリームの直前に表示されるピクチャがＩピクチャでない場合には、該ピクチャの直前にあるＩピクチャから該ピクチャまでの片方向フレーム間予測符号化ピクチャを順に復号化することで、該ピクチャの復号画像を得て、フレーム内符号化により再符号化したピクチャをフレーム内符号化ピクチャとする。最後に、第１部分ストリームと、第２部分ストリームとの間に、フレーム内符号化ピクチャを挿入し、連結処理を行う。
【先行技術文献】
【特許文献】
【０００９】
【特許文献１】特開２００２−３００５２８号公報
【非特許文献】
【００１０】
【非特許文献１】「ファイルベース制作設備の導入」、新見他、映像メディア学会誌、Ｖｏｌ.６７、Ｎｏ．５、ｐｐ.３７４〜３７８、２０１３年
【発明の概要】
【発明が解決しようとする課題】
【００１１】
ＨＤ映像を対象とした非特許文献１のシステムでは、完成プログラムをＩｎｔｒａ  Ｏｎｌｙで符号化しているが、８Ｋスーパーハイビジョン映像などの大容量映像を対象とする場合には、符号化効率の観点からＬｏｎｇ  ＧＯＰで符号化することが求められる。
【００１２】
しかし、Ｐピクチャ及びＢピクチャは単独での復号が不可能なため、ＧＯＰ単位ではない区間を編集する場合、編集後の符号化ストリームを正しく復号することができない。この理由を、図４を参照して説明する。図中のＩ，Ｂ，Ｐは、それぞれＩピクチャ、Ｂピクチャ、Ｐピクチャを意味する。部分差替編集前の映像符号化ストリームである差替前ストリームのＧＯＰ構造が図４（ａ）に示すものであった場合、２フレーム目から４フレーム目はＢピクチャであるため、復号する際には前方のＩピクチャである１フレーム目及び後方のＰピクチャである５フレーム目を参照する。１０フレーム目から１２フレーム目はＢピクチャであるため、復号する際には前方のＰピクチャである９フレーム目及び後方のＰピクチャである１３フレーム目を参照する。１３フレーム目はＰピクチャであるため、復号する際には前方のＰピクチャである９フレーム目を参照する。１４フレーム目から１６フレーム目はＢピクチャであるため、復号する際には前方のＰピクチャである１３フレーム目及び後方のＰピクチャ又はＩピクチャを参照する。
【００１３】
図４（ｂ）は、部分差替編集前の映像符号化ストリームである差替前ストリームに対して、表示順で５フレーム目から９フレーム目までのフレーム（Ｐ＃５，Ｂ＃６，Ｂ＃７，Ｂ＃８，Ｐ＃９）を、差替ストリーム（Ｉ＃１’，Ｂ＃２’，Ｂ＃３’，Ｂ＃４’，Ｐ＃５’）に部分差替する場合を示している。このとき、部分差替編集後の映像符号化ストリームである差替後ストリームの２フレーム目から４フレーム目まで（Ｂ＃２，Ｂ＃３，Ｂ＃４）は、参照すべきフレームであるＰ＃５が存在しないため、正しく復号することができない。同様に、差替後ストリームの１０フレーム目から１３フレーム目まで（Ｂ＃１０，Ｂ＃１１，Ｂ＃１２，Ｐ＃１３）は、参照すべきフレームであるＰ＃９が存在しないため、正しく復号することができない。また、１３フレーム目（Ｐ＃１３）を正しく復号することができないため、１３フレーム目を参照先フレームとする１４フレーム目から１６フレーム目まで（Ｂ＃１４，Ｂ＃１５，Ｂ＃１６）についても、正しく復号することができない。
【００１４】
そこで、編集後の符号化ストリームを正しく復号可能なものとする手法を、図５を参照して説明する。図５は、部分差替編集前の映像符号化ストリームである差替前ストリームに対して、表示順で５フレーム目から９フレーム目までのフレーム（Ｐ＃５，Ｂ＃６，Ｂ＃７，Ｂ＃８，Ｐ＃９）を、差替ストリーム（Ｉ＃１’，Ｂ＃２’，Ｂ＃３’，Ｂ＃４’，Ｐ＃５’）に部分差替する場合を示している。まず、部分差替区間を含むＧＯＰをＧＯＰ単位で復号し、差替前映像を生成する。その後、差替前映像を編集し、５フレーム目から９フレーム目（＃５，＃６，＃７，＃８，＃９）を差替映像（＃１’，＃２’，＃３’，＃４’，＃５’）に差替えて差替後映像を生成する。なお、差替えるべきデータを映像符号化ストリーム（差替ストリーム）として与えられた場合には、図５に示すように差替ストリームを復号して差替映像を生成する必要がある。この方法によれば、差替後映像を正しく符号化することができる。しかしながら、既に符号化劣化の生じている差替前ストリームをいったん復号し、再度符号化するため、差替後ストリームの品質がさらに悪化してしまう。
【００１５】
また、特許文献１に開示された技術では、上述したフレーム内符号化ピクチャを生成することにより、映像符号化ストリームを切り出して連結させることができるが、映像符号化ストリームの部分差替編集を行うことができないという問題があった。
【００１６】
かかる事情に鑑みてなされた本発明の目的は、映像符号化ストリームの任意の区間を部分編集でき、且つ部分編集による品質の劣化を低減することが可能な映像符号化ストリーム編集装置、及びプログラムを提供することにある。
【課題を解決するための手段】
【００１７】
上記課題を解決するため、本発明に係る映像符号化ストリーム編集装置は、フレーム間予測を用いて符号化された映像符号化ストリームに対して部分差替編集を行い、部分差替編集前の映像符号化ストリームである差替前ストリームから、部分差替編集後の映像符号化ストリームである差替後ストリームを生成する映像符号化ストリーム編集装置であって、前記差替前ストリームのうち差替区間を含むＧＯＰを復号して差替前映像を生成するデコーダと、前記差替前映像の前記差替区間の映像を差替映像に入れ換えて差替後映像を生成する映像差替部と、前記差替後映像のうち、前記差替区間の始点フレームよりも表示順で前に位置するフレームであって、符号化時に前記始点フレーム以降のフレームを参照しないフレームを除外した切出映像を生成する映像切出部と、前記切出映像を符号化して、差替ストリームを生成するエンコーダと、前記差替前ストリームの前記切出映像に該当する区間を前記差替ストリームに差替えて、前記差替後ストリームを生成する部分差替部と、を備えることを特徴とする。
【００１８】
さらに、本発明に係る映像符号化ストリーム編集装置において、前記映像切出部は、前記差替区間を含むＧＯＰの、前記差替区間の前記始点フレームのピクチャタイプを識別し、該ピクチャタイプがＩピクチャである場合には、前記差替後映像のうち、前記始点フレームから最終フレームまでを前記切出映像とし、該ピクチャタイプがＩピクチャでない場合には、前記差替後映像のうち、表示順で前記始点フレームの前方の直近に位置するＰピクチャ又はＩピクチャの１枚後のフレームから最終フレームまでを前記切出映像とすることを特徴とする。
【００１９】
また、上記課題を解決するため、本発明に係るプログラムは、コンピュータを、上記映像符号化ストリーム編集装置として機能させることを特徴とする。
【発明の効果】
【００２０】
本発明によれば、映像符号化ストリームの任意のフレームを始点、終点とした区間を部分編集することができる。また、映像符号化ストリームを部分編集する際の品質劣化を低減することができる。
【図面の簡単な説明】
【００２１】
【図１】本発明の一実施形態に係る映像符号化ストリーム編集装置の構成例を示すブロック図である。
【図２】本発明の一実施形態に係る映像符号化ストリーム編集装置の動作例を示すフローチャートである。
【図３】本発明の一実施形態に係る映像符号化ストリーム編集装置の処理の具体例を説明する図である。
【図４】編集後の符号化ストリームを正しく復号することができない例を説明する図である。
【図５】編集後の符号化ストリームを正しく復号可能なものとする手法を説明する図である。
【図６】８Ｋスーパーハイビジョン映像を符号化した際における、ビットレートに対するＰＳＮＲを示すグラフである。
【発明を実施するための形態】
【００２２】
以下、本発明の一実施形態について、図面を参照して詳細に説明する。
【００２３】
図１に、本発明の一実施形態に係る映像符号化ストリーム編集装置１の構成例を示す。図１に示す映像符号化ストリーム編集装置１は、差替位置指定部１１と、デコーダ１２と、映像差替部１３と、映像切出部１４と、エンコーダ１５と、部分差替部１６と、を備える。
【００２４】
映像符号化ストリーム編集装置１は、フレーム間予測を用いて符号化された映像符号化ストリームの一部を別のストリームに差替える部分差替編集を行う装置である。以下の説明において、部分差替編集前の映像符号化ストリームを「差替前ストリーム」と称し、部分差替編集後の映像符号化ストリームを「差替後ストリーム」と称する。映像符号化ストリームはフレーム間予測を用いて符号化されているため、ＧＯＰ構造はＬｏｎｇ  ＧＯＰとなる。ただし、本発明はＣｌｏｓｅｄ  ＧＯＰを対象とし、Ｏｐｅｎ  ＧＯＰは対象外とする。
【００２５】
送出サーバ２０は、差替前ストリームを映像符号化ストリーム編集装置１のデコーダ１２、部分差替部１６、及び映像切出部１４に送信する。また、送出サーバ２０は、部分差替部１６から、差替後ストリームを受信する。
【００２６】
差替位置指定部１１は、映像符号化ストリーム編集装置１の操作者により部分差替編集の始点及び終点が指定されると、部分差替編集の始点及び終点を示す始点・終点情報を生成する。そして、差替位置指定部１１は、始点・終点情報をデコーダ１２、映像差替部１３、映像切出部１４、及び部分差替部１６に出力する。始点及び終点の指定は、例えばストリーム内のタイムコードや、表示順のフレーム番号を用いて指定することができる。また、映像符号化ストリームの任意の２枚フレームをそれぞれ始点、終点として指定することができ、始点及び終点で設定される差替区間はＧＯＰ単位でなくてもよい。
【００２７】
デコーダ１２は、差替位置指定部１１から入力された始点・終点情報に基づいて、送出サーバ２０から入力された差替前ストリームのうち、始点及び終点を含むＧＯＰ（すなわち、差替区間を含むＧＯＰであり複数のＧＯＰであってもよい）を復号して差替前映像を生成する。そして、デコーダ１２は、生成した差替前映像を映像差替部１３に出力する。
【００２８】
映像差替部１３は、映像符号化ストリーム編集装置１の周辺機器である編集機、録再機などから差替映像を取得する。また、映像差替部１３は、デコーダ１２から差替前映像を取得する。そして、映像差替部１３は、差替位置指定部１１から入力された始点・終点情報に基づいて、差替前映像の始点から終点（差替区間）の映像を差替映像に入れ換えて差替後映像を生成する。映像差替部１３は、生成した差替後映像を映像切出部１４に出力する。
【００２９】
映像切出部１４は、映像差替部１３から入力された差替後映像のうち、差替区間の始点フレームよりも表示順で前に位置するフレームであって、符号化時に始点フレーム以降のフレームを参照しないフレームを除外した切出映像を生成する。そして、映像切出部１４は、生成した切出映像をエンコーダ１５に出力する。
【００３０】
エンコーダ１５は、映像切出部１４から入力された切出映像を符号化して、差替ストリームを生成する。そして、エンコーダ１５は、生成した差替ストリームを部分差替部１６に出力する。差替ストリームの復号順で先頭のフレームは、Ｉピクチャとなる。
【００３１】
部分差替部１６は、送出サーバ２０から受信した差替前ストリームの切出映像に該当する区間を、エンコーダ１５から入力された差替ストリームに差替えて差替後ストリームを生成する。そして、部分差替部１６は、生成した差替後ストリームを送出サーバ２０に送信する。
【００３２】
図２は、映像符号化ストリーム編集装置１の動作例を示すフローチャートである。図３は、映像符号化ストリーム編集装置１の処理の具体例を説明する図である。図２及び図３を参照して、映像符号化ストリーム編集装置１の動作について説明する。なお、図３において、フレームのカウントは表示順で行うものとする。すなわち、図３中のフレーム番号は表示順番号であるＰＯＣ（Ｐｉｃｔｕｒｅ  Ｏｒｄｅｒ  Ｃｏｕｎｔ）を意味するものとする。
【００３３】
映像符号化ストリーム編集装置１は、差替位置指定部１１により、差替位置を指定する（ステップＳ１０１）。図３に示す例では、送出サーバ２０から受信した差替前ストリームに対して、第ｎＧＯＰの７フレーム目から１０フレーム目の部分差替編集を行う。この場合、差替位置指定部１１は、第ｎＧＯＰの７フレーム目及び１０フレーム目を示す情報を始点・終点情報として生成する。
【００３４】
次に、映像符号化ストリーム編集装置１は、デコーダ１２により、差替前ストリームのうち、差替区間を含むＧＯＰを復号して差替前映像を生成する（ステップＳ１０２）。図３に示す例では、デコーダ１２は第ｎＧＯＰを復号して差替前映像を生成する。
【００３５】
次に、映像符号化ストリーム編集装置１は、映像差替部１３により、差替映像を取得し、差替前映像の差替区間の映像を差替映像に入れ換えて、差替後映像を生成する（ステップＳ１０３）。図３に示す例では、映像差替部１３は、差替映像として＃１’，＃２’，＃３’，＃４’を取得する。
【００３６】
次に、映像符号化ストリーム編集装置１は、映像切出部１４により、差替区間を含むＧＯＰのＧＯＰ構造を確認し、差替区間の始点フレームのピクチャタイプを識別する。映像切出部１４は、差替区間の始点フレームのピクチャタイプがＩピクチャである場合には（ステップＳ１０４−Ｙｅｓ）、差替後映像のうち、始点フレームから最終フレームまでを切出映像とする（ステップＳ１０５）。
【００３７】
一方、映像切出部１４は、差替区間の始点フレームのピクチャタイプがＰピクチャ又はＢピクチャである場合には（ステップＳ１０４−Ｎｏ）、差替後映像のうち、差替前ストリームの表示順（ＰＯＣ順）で始点フレームの前方の直近に位置するＰピクチャ又はＩピクチャの１枚後のフレーム位置（ＰＯＣ）を特定する。そして、差替後映像のうち、先に特定したフレーム位置（ＰＯＣ）に該当するフレームから最終フレームまでを切出映像とする（ステップＳ１０６）。
【００３８】
図３に示す例では、差替区間の始点フレーム（Ｂ＃７）のピクチャタイプがＢピクチャであるため、映像切出部１４は、始点フレーム（Ｂ＃７）の前方の直近に位置するＰピクチャ（Ｐ＃５）の１枚後のフレーム位置（６フレーム目）を特定する。そして、差替後映像のうち、６フレーム目（＃６）から最終フレーム（＃１２）までを切出映像とする。
【００３９】
次に、映像符号化ストリーム編集装置１は、エンコーダ１５により、切出映像を符号化して差替ストリームを生成する（ステップＳ１０７）。その際、図３に示すように、差替ストリームの復号順で先頭のフレームをＩピクチャとする。また、差替ストリームの表示順で最終のフレームをＰピクチャ又はＩピクチャとする。差替ストリームの他のピクチャタイプは任意であるが、Ｉピクチャが増えると符号化効率が低下するため、Ｂピクチャ又はＰピクチャとするのが好適である。
【００４０】
次に、映像符号化ストリーム編集装置１は、部分差替部１６により、差替前ストリームの切出映像に該当する区間を差替ストリームに差替えて差替後ストリームを生成する（ステップＳ１０８）。図３に示す例では、差替後ストリームの第ｎＧＯＰについて、最初の５フレーム（Ｉ＃１，Ｂ＃２，Ｂ＃３，Ｂ＃４，Ｐ＃５）、及び最後の４フレーム（Ｉ＃１３，Ｂ＃１４，Ｂ＃１５，Ｂ＃１６）は差替前ストリームと同一である。よって、これらのフレームに関しては、再符号化による品質劣化が生じることはない。
【００４１】
以上、映像符号化ストリーム編集装置１について説明したが、映像符号化ストリーム編集装置１として機能させるためにコンピュータを用いることも可能である。そのようなコンピュータは、映像符号化ストリーム編集装置１の各機能を実現する処理内容を記述したプログラムを該コンピュータの記憶部に格納しておき、該コンピュータのＣＰＵによってこのプログラムを読み出して実行させることで実現することができる。
【００４２】
また、このプログラムは、コンピュータ読取り可能媒体に記録されていてもよい。コンピュータ読取り可能媒体を用いれば、コンピュータにインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭなどの記録媒体であってもよい。
【００４３】
上述したように、本発明においては、ＧＯＰ構造がＬｏｎｇ  ＧＯＰである符号化ストリームに対して部分差替編集を施す際に、表示順で始点フレームより前に位置するフレームのうち、始点フレーム以降のフレームを参照しないフレームについては、元の編集前の映像符号化ストリームをそのまま利用する。よって、本発明によれば、映像符号化ストリームの部分編集を行っても、再符号化による画質劣化を低減することが可能となる。
【００４４】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態の構成図に記載の複数の構成ブロックを１つに組み合わせたり、あるいは１つの構成ブロックを分割したりすることが可能である。
【符号の説明】
【００４５】
１    映像符号化ストリーム編集装置
１１  差替位置指定部
１２  デコーダ
１３  映像差替部
１４  映像切出部
１５  エンコーダ
１６  部分差替部
２０  送出サーバ
【図１】
2020108032.tif 000003
【図２】
2020108032.tif 000004
【図３】
2020108032.tif 000005
【図４】
2020108032.tif 000006
【図５】
2020108032.tif 000007
【図６】
2020108032.tif 000008